(57)【要約】【課題】緩みにくいねじならびにそれを備えた配管カバーおよび給湯器セットを提供する。【解決手段】被締結部材２０のねじ穴ＳＨにねじ止めされるねじである。ねじ３０は、頭部３１と、軸部３２とを備えている。ねじ３０は、被締結部材２０のねじ穴ＳＨに軸部３２のねじ山ＳＴがねじ止めされた状態で、一方端面３１ａの一部が被締結部材２０に当接することにより軸部３２のねじ山ＳＴをねじ穴ＳＨに片当りさせるように構成されている。【選択図】図７
2016217596.tif 000002
【特許請求の範囲】
【請求項１】
被締結部材のねじ穴にねじ止めされるねじであって、
一方端面と、前記一方端面に対向する他方端面とを有する頭部と、
前記一方端面から前記他方端面とは反対側に突出し、かつねじ山が形成された軸部とを備え、
前記一方端面は、前記軸部を挟んで一方側が高くなり、かつ他方側が低くなるように構成されており、
前記被締結部材の前記ねじ穴に前記軸部の前記ねじ山がねじ止めされた状態で、前記一方端面の一部が前記被締結部材に当接することにより前記軸部の前記ねじ山を前記ねじ穴に片当りさせるように構成されている、ねじ。
【請求項２】
前記頭部は、
前記軸部が接続された前記本体部と、
前記本体部から前記軸部が突出する方向に突出する突出部とを含み、
前記突出部は、前記一方端面の一部を含む、請求項１に記載のねじ。
【請求項３】
前記一方端面は、前記一方側から前記他方側に傾斜する傾斜面を含む、請求項１または２に記載のねじ。
【請求項４】
前記軸部は、軸方向に互いに離れて前記ねじ山が形成された第１および第２のねじ部と、前記第１および第２のねじ部に挟まれかつ前記ねじ山が形成されていないねじ無し部とを含み、
前記ねじ無し部の直径は、前記第１および第２のねじ部のそれぞれの前記ねじ山の直径よりも小さい、請求項１〜３のいずれか１項に記載のねじ。
【請求項５】
前記請求項１〜４のいずれか１項に記載のねじと、
前記被締結部材とを備えた、配管カバーであって、
前記被締結部材は、
固定部と、
前記固定部を覆う蓋部とを含み、
前記固定部は、前記ねじ穴を有し、
前記蓋部は、前記ねじ穴に連通する貫通孔を有し、
前記ねじは、前記貫通孔を通って前記ねじ穴にねじ止めされている、配管カバー。
【請求項６】
前記被締結部材は金属からなり、
前記頭部は樹脂からなる、請求項５に記載の配管カバー。
【請求項７】
請求項５または６に記載の配管カバーと、
配管に接続される給湯器とを備えた給湯器セットであって、
前記配管カバーは、前記給湯器に接続される前記配管を覆っている、給湯器セット。
【発明の詳細な説明】
【技術分野】
【０００１】
本発明は、ねじ、配管カバーおよび給湯器セットに関し、特に、被締結部材のねじ穴にねじ止めされるねじならびにそれを備えた配管カバーおよび給湯器セットに関するものである。
【背景技術】
【０００２】
従来、給湯器が建物の壁面または地面に設置される際に、給湯器に接続される配管を覆う配管カバーが用いられている。配管カバーによって配管の露出が防がれることにより、配管が保護されるとともに美観を損なわないようにすることが可能である。
【０００３】
具体的には、配管カバーは、壁面などに固定される固定部と、固定部に着脱可能な蓋部と、固定部に蓋部を締結可能なねじとを備えている。配管カバーの使用時には、ねじによって固定部に蓋部が締結されている。メンテナンスの際には、作業者によりねじが外されて固定部と蓋部との締結が解除される。そして、固定部から蓋部が取り外されて、配管に接近することが可能となる。このような配管カバーは、たとえば、特開２００７−３２９４０号公報（特許文献１）に記載されている。
【先行技術文献】
【特許文献】
【０００４】
【特許文献１】特開２００７−３２９４０号公報
【発明の概要】
【発明が解決しようとする課題】
【０００５】
上記公報に記載された配管カバーでは、ねじが緩んでいる場合、配管カバーに風が吹き付けることにより、固定部に対して蓋部が振動する。この振動によりねじがさらに緩んでねじが外れることがある。
【０００６】
本発明は、上記課題に鑑みてなされたものであり、その目的は、緩みにくいねじならびにそれを備えた配管カバーおよび給湯器セットを提供することである。
【課題を解決するための手段】
【０００７】
本発明のねじは、被締結部材のねじ穴にねじ止めされるねじである。ねじは、頭部と、軸部とを備えている。頭部は、一方端面と、一方端面に対向する他方端面とを有する。軸部は、一方端面から他方端面とは反対側に突出し、かつねじ山が形成されている。一方端面は、軸部を挟んで一方側が高くなり、かつ他方側が低くなるように構成されている。ねじは、被締結部材のねじ穴に軸部のねじ山がねじ止めされた状態で、一方端面の一部が被締結部材に当接することにより軸部のねじ山をねじ穴に片当りさせるように構成されている。
【０００８】
本発明のねじによれば、頭部の一方端面は、軸部を挟んで一方側が高くなり、かつ他方側が低くなるように構成されている。そして、頭部の一方端面の一部が被締結部材に当接することにより軸部のねじ山をねじ穴に片当りさせることができる。このため、ねじを緩みにくくすることができる。したがって、ねじを外れにくくすることができる。
【０００９】
上記のねじにおいては、頭部は、本体部と、突出部とを含む。本体部には軸部が接続されている。突出部は本体部から軸部が突出する方向に突出する。突出部は、一方端面の一部を含む。このため、突出部が被締結部材に当接することにより軸部のねじ山をねじ穴に片当りさせることができる。これにより、ねじを緩みにくくすることができる。
【００１０】
上記のねじにおいては、一方端面は、一方側から他方側に傾斜する傾斜面を含む。このため、傾斜面が被締結部材に当接することにより軸部を傾斜させることができる。これにより、軸部のねじ山をねじ穴に片当りさせることができる。これにより、ねじを緩みにくくすることができる。
【００１１】
上記のねじにおいては、軸部は、第１および第２のねじ部と、ねじ無し部とを含む。第１および第２のねじ部は、軸方向に互いに離れてねじ山が形成されている。ねじ無し部は、第１および第２のねじ部に挟まれかつねじ山が形成されていない。ねじ無し部の直径は、第１および第２のねじ部のそれぞれのねじ山の直径よりも小さい。このため、ねじが緩んでねじ無し部がねじ穴に位置することにより、ねじ山とねじ穴の螺合が解除される。これにより、ねじがさらに緩むことを防止できる。
【００１２】
本発明の配管カバーは、上記のねじと、被締結部材とを備えている。被締結部材は、固定部と、固定部を覆う蓋部とを含む。固定部は、ねじ穴を有している。蓋部は、ねじ穴に連通する貫通孔を有している。ねじは、貫通孔を通ってねじ穴にねじ止めされている。このため、風によって固定部に対して蓋部が振動しても、ねじを緩みにくくすることができる。これにより、風による振動によりねじが外れて固定部から蓋部が取り外されることを抑制できる。
【００１３】
上記の配管カバーにおいては、被締結部材は金属からなり、頭部は樹脂からなる。このため、頭部は被締結部材よりも軟らかいので、頭部が被締結部材に当接することにより被締結部材に傷がつくことを抑制できる。
【００１４】
本発明の給湯器セットは、上記の配管カバーと、配管に接続される給湯器とを備えた給湯器セットである。配管カバーは、給湯器に接続される配管を覆っている。このため、風による振動で固定部から蓋部が取り外されることを抑制できる配管カバーを備えた給湯器セットを提供することができる。
【発明の効果】
【００１５】
以上説明したように、本発明によれば、緩みにくいねじならびにそれを備えた配管カバーおよび給湯器セットを提供することができる。
【図面の簡単な説明】
【００１６】
【図１】本発明の一実施の形態における給湯器セットの構成を概略的に示す斜視図である。
【図２】本発明の一実施の形態における給湯器の構成を概略的に示す概略図である。
【図３】図１の給湯器セットの配管カバーを分解して示す分解斜視図である。
【図４】本発明の一実施の形態におけるねじの構成を概略的に示す斜視図である。
【図５】本発明の一実施の形態におけるねじの構成を概略的に示す部分断面図である。
【図６】本発明の一実施の形態におけるねじが配管カバーにねじ止めされた状態を概略的に示す部分断面図である。
【図７】本発明の一実施の形態におけるねじが緩んだ状態を概略的に示す部分断面図である。
【図８】本発明の一実施の形態の変形例１におけるねじの構成を概略的に示す斜視図である。
【図９】本発明の一実施の形態の変形例１におけるねじの構成を概略的に示す部分断面図である。
【図１０】本発明の一実施の形態の変形例１におけるねじが配管カバーにねじ止めされた状態を概略的に示す部分断面図である。
【図１１】本発明の一実施の形態の変形例１におけるねじが緩んだ状態を概略的に示す部分断面図である。
【図１２】本発明の一実施の形態の変形例２におけるねじの構成を概略的に示す斜視図である。
【図１３】本発明の一実施の形態の変形例２におけるねじの構成を概略的に示す部分断面図である。
【図１４】本発明の一実施の形態の変形例３におけるねじの構成を概略的に示す斜視図である。
【図１５】本発明の一実施の形態の変形例３におけるねじの構成を概略的に示す部分断面図である。
【図１６】比較例のねじが緩んだ状態を概略的に示す部分断面図である。
【発明を実施するための形態】
【００１７】
以下、本発明の実施の形態について図に基づいて説明する。
まず、本発明の一実施の形態における給湯器セットの構成について説明する。以下では、各方向は給湯器セットを設置した状態を基準にしている。また、特に言及しない限り、同一の構成には同一の符号を付し、その説明を繰り返さない。
【００１８】
図１を参照して、本実施の形態では、建物の壁面１００に給湯器セットが設置された場合について説明するが、給湯器セットは地面１０１に設置されていてもよい。また、本実施の形態では、潜熱を回収可能な潜熱回収式の給湯器について説明するが、給湯器は潜熱を回収するための熱交換器を備えないものであってもよい。
【００１９】
図１を参照して、本実施の形態の給湯器セットは、給湯器１０と、配管カバーＰＣを主に備えている。給湯器１０は建物の壁面１００に設置されている。給湯器１０には配管が接続される。具体的には、給湯器１０に、建物の給水管Ｐ１、給湯管Ｐ２およびガス管Ｐ３がそれぞれ接続されている。配管カバーＰＣは、建物の壁面１００に設置されている。
【００２０】
配管カバーＰＣは、配管の露出を防げることにより、配管を保護することができ、かつ美観を損なわないようにすることもできる。配管カバーＰＣは、給湯器、給水管Ｐ１、給湯管Ｐ２およびガス管Ｐ３をそれぞれ覆っている。
【００２１】
図１および図２を参照して、本実施の形態における給湯器１０は、筐体１と、バーナ２と、送風装置３と、一次熱交換器４と、二次熱交換器５と、中和器６と、コントローラ７と、給湯経路８と、ガス経路ＦＣとを主に有している。
【００２２】
筐体１は、前面（正面）１ａと、天面（上面）１ｂと、底面（下面）１ｃと、一対の側面１ｄと、後面（背面）１ｅとを有している。前面１ａと後面１ｅとが対向する方向が筐体１の前後方向である。天面１ｂと底面１ｃとが対向する方向が筐体１の上下方向である。一対の側面１ｄが互いに対向する方向が筐体１の幅方向（左右方向）である。
【００２３】
筐体１の前面１ａには、燃焼ガスを排気するための排気口ＥＰが設けられている。排気口ＥＰは給湯器１０の内外を連通している。また、筐体１の前面１ａには、空気を筐体１内に取り込むための吸気口ＩＰが設けられている。吸気口ＩＰは給湯器１０の内外を連通している。吸気口ＩＰは複数個設けられている。
【００２４】
筐体１は、前面（正面）１ａ、天面（上面）１ｂ、底面（下面）１ｃ、一対の側面１ｄおよび後面（背面）１ｅによって取り囲まれた空間を有している。この空間内に、バーナ２と、送風装置３と、一次熱交換器４と、二次熱交換器５と、中和器６と、コントローラ７と、給湯経路８と、ガス経路ＦＣとが収容されている。
【００２５】
バーナ２は、燃焼ガスを供給可能に構成されている。燃焼ガスは、一次熱交換器４および二次熱交換器５との間で熱交換を行なうためのものである。送風装置３は、バーナ２に燃焼用の空気を供給するためのものである。送風装置３は吸気口ＩＰから筐体１内に取り込まれた空気をバーナ２に送風可能に構成されている。送風装置３は具体的にはたとえばファンである。
【００２６】
一次熱交換器４は、バーナ２によって供給された燃焼ガスの顕熱を回収するためのものである。二次熱交換器５は、バーナ２によって供給された燃焼ガスの潜熱を回収するためのものである。一次熱交換器４と二次熱交換器５とは互いに接続されている。一次熱交換器４および二次熱交換器５はそれぞれ被加熱流体である水を流通可能な伝熱管と、この伝熱管を収容可能な熱交換器ケースとを有している。熱交換器ケースの内部において伝熱管の周囲を燃焼ガスが流れる。
【００２７】
一次熱交換器４で熱交換した後の燃焼ガスが二次熱交換器５へ通されることで二次熱交換器４内の被加熱流体である水が予熱される。この過程で燃焼ガスの温度が６０℃程度まで下がることで、燃焼ガス中に含まれる水分が凝縮して潜熱が回収される。そして、燃焼ガスの潜熱が回収されることによってドレンが発生する。
【００２８】
ドレン受けＤＲは二次熱交換器５の下方に配置されており、二次熱交換器５で生じたドレンを受けるように構成されている。第１のドレン配管ＤＰ１はドレン受けＤＲと中和器６とを接続している。ドレンは、ドレン受けＤＲから第１のドレン配管ＤＰ１を通って中和器６に送られる。
【００２９】
中和器６は、二次熱交換器５で燃焼ガスの潜熱を回収することによって発生したドレンを中和するためのものである。このドレンは排気ガス中の窒素酸化物などが溶け込んでいるため酸性となる。中和器６の内部には中和剤が充填されており、この中和剤によって酸性のドレンを中和することができる。第２のドレン配管ＤＰ２は中和器６とドレン排出口ＤＯとを接続している。中和器６で中和されたドレンは第２のドレン配管ＤＰ２を通ってドレン排出口ＤＯから筐体１外に排出される。
【００３０】
コントローラ７はバーナ２および送風装置３などを制御するためのものである。また、コントローラ７は図示しない表示部などを制御するためのものでもある。コントローラ７はバーナ２および送風装置３の各々に電気的に接続されている。
【００３１】
給湯経路８は、一次熱交換器４および二次熱交換器５で燃焼ガスと熱交換された湯水を給湯器１０外に供給するためのものである。給湯経路８は、給水配管８ａと、給湯配管８ｂと、入水口ＩＷと、出湯口ＯＷとを有している。入水口ＩＷに給水管Ｐ１が接続されている。出湯口ＯＷに給湯管Ｐ２が接続されている。
【００３２】
給水配管８ａは、入水口ＩＷから二次熱交換器５に被加熱流体である水を給水可能に構成されている。給湯配管８ｂは、一次熱交換器４と出湯口ＯＷとを接続している。給湯配管８ｂは、一次熱交換器４から出湯口ＯＷに一次熱交換器４および二次熱交換器５で温められた温水を給湯可能に構成されている。これにより、入水口ＩＷから給水された水は、二次熱交換器５および一次熱交換器４を通過する際に燃焼ガスによって加熱されて出湯口ＯＷから給湯される。
【００３３】
ガス経路ＦＣは、バーナ２に燃焼用のガスを供給するためのものである。ガス経路ＦＣは、ガス配管ＦＰと、ガス供給口ＦＩとを有している。ガス配管ＦＰは、ガス供給口ＦＩから供給された燃焼用のガスをバーナ２に供給可能に構成されている。ガス供給口ＦＩはガス管Ｐ３に接続されている。
【００３４】
図１および図３を参照して、本実施の形態における配管カバーＰＣは、給湯器１０に装着されている。配管カバーＰＣは、給湯器１０の底面（下面）１ｃ側に設置されている。配管カバーＰＣは、被締結部材２０と、ねじ３０とを主に有している。被締結部材２０は、固定部２１と、蓋部２２と、一対のワッシャ２３とを主に有している。
【００３５】
固定部２１は、一対の側面部２１ａと、第１の支持部２１ｂと、一対の取付部２１ｃと、第２の支持部２１ｄと、第３の支持部２１ｅとを主に有している。一対の側面部２１ａは、配管カバーＰＣの一対の側面を構成している。一対の側面部２１ａは、筐体１の一対の側面１ｄにそれぞれ沿うように構成されている。
【００３６】
第１の支持部２１ｂは、一対の側面部２１ａ同士を繋ぐように構成されている。第１の支持部２１ｂは、固定部２１の蓋部２２側に配置されている。具体的には、第１の支持部２１ｂは、固定部２１の前端部に配置されている。また、第１の支持部２１ｂは、固定部２１の上端部に配置されている。
【００３７】
一対の取付部２１ｃは、第１の支持部２１ｂの左右方向の両端部にそれぞれ取り付けられている。一対の取付部２１ｃはそれぞれ第１の支持部２１ｂから蓋部２２側に突出している。一対の取付部２１ｃはそれぞれねじ穴ＳＨを有している。各ねじ穴ＳＨは、固定部２１の前後方向に各取付部２１ｃを貫通している。
【００３８】
第２の支持部２１ｄおよび第３の支持部２１ｅはそれぞれ一対の側面部２１ａ同士を繋ぐように構成されている。第２の支持部２１ｄは固定部２１の前端部に配置されている。第３の支持部２１ｅは固定部２１の後端部に配置されている。また、第２の支持部２１ｄおよび第３の支持部２１ｅはそれぞれ固定部２１の下端部に配置されている。
【００３９】
蓋部２２は、前面部２２ａと、一対の貫通孔２２ｂとを主に有している。前面部２２ａは、配管カバーＰＣの前面を構成している。一対の貫通孔２２ｂはそれぞれ前面部２２ａの前後方向に前面部２２ａを貫通している。各貫通孔２２ｂは各ねじ穴ＳＨに連通している。
【００４０】
一対のワッシャ２３はそれぞれ取付部２１ｃと前面部２２ａとの間に配置されている。各ワッシャ２３は、各ねじ穴ＳＨおよび各貫通孔２２ｂに連通している。各ワッシャ２３は、ねじ３０を挿通可能に構成されている。
【００４１】
図３および図４を参照して、ねじ３０は、被締結部材２０のねじ穴ＳＨにねじ止めされるものである。ねじ３０は、貫通孔２２ｂを通ってねじ穴ＳＨにねじ止めされている。ねじ３０は、頭部３１と、軸部３２とを主に有している。
【００４２】
図４および図５を参照して、頭部３１は、一方端面３１ａと、他方端面３１ｂと、溝部３１ｃと、受入部３１ｄとを主に有している。一方端面３１ａは、軸部３２を挟んで一方側Ｓ１が高くなり、かつ他方側Ｓ２が低くなるように構成されている。他方端面３１ｂは、一方端面３１ａに対向している。溝部３１ｃは、他方端面３１ｂから一方端面３１ａ側に凹んでいる。受入部３１ｄは、軸部３２の張出部ＰＲに係合されている。
【００４３】
軸部３２は、一方端面３１ａから他方端面３１ｂとは反対側に突出している。軸部３２にはねじ山ＳＴが形成されている。ねじ山ＳＴは、軸部３２の外周面に形成されている。軸部３２は、頭部３１側の端部に張出部ＰＲを有している。張出部ＰＲは、ねじ山ＳＴから軸部３２の径方向に張り出している。張出部ＰＲが受入部３１ｄに係合することにより軸部３２は頭部３１に固定されている。
【００４４】
また、頭部３１は、本体部ＭＰと、突出部ＰＰとを有している。本体部ＭＰには、軸部３２が接続されている。突出部ＰＰは、本体部ＭＰから軸部３２が突出する方向に突出する。突出部ＰＰは、一方端面３１ａの一部を含んでいる。一方側Ｓ１は、他方側Ｓ２よりも、本体部ＭＰから軸部３２が突出する方向に突出している。一方端面３１ａは、一方側Ｓ１から他方側Ｓ２に傾斜する傾斜面ＳＬを含んでいる。傾斜面ＳＬは軸部３２の軸方向に対して傾斜している。
【００４５】
図６および図７を参照して、ねじ３０は、被締結部材２０のねじ穴ＳＨに軸部３２のねじ山ＳＴがねじ止めされた状態で、一方端面３１ａの一部が被締結部材２０に当接することにより軸部３２のねじ山ＳＴをねじ穴ＳＨに片当りさせるように構成されている。具体的には、図６に示すように、固定部２１のねじ穴ＳＨに軸部３２のねじ山ＳＴがねじ止めされた状態で、一方端面３１ａの一方側Ｓ１が蓋部２２に当接する。
【００４６】
図７に示すように、ねじ３０が緩んだ状態では、固定部２１の内部に流入した風および固定部２１と蓋部２２との隙間に流入した風が固定部２１側から蓋部２２に吹き付けることにより、蓋部２２が固定部２１から離れて一方端面３１ａに当接する。このため、軸部３２のねじ山ＳＴがねじ穴ＳＨに片当りする。また、被締結部材２０は金属からなり、頭部３１は樹脂からなっていてもよい。
【００４７】
次に、本実施の形態における変形例について説明する。
図８および図９を参照して、本実施の形態における変形例１のねじ３０のように、第１のねじ部３２ａと第２のねじ部３２ｂとに挟まれたねじ無し部３２ｃを備えていてもよい。本実施の形態における変形例１のねじ３０では、軸部３２は、第１のねじ部３２ａと、第２のねじ部３２ｂと、ねじ無し部３２ｃと、先端部３２ｄとを主に有している。
【００４８】
第１のねじ部３２ａと第２のねじ部３２ｂとは軸方向に互いに離れてねじ山ＳＴが形成されている。ねじ無し部３２ｃは、第１のねじ部３２ａおよび第２のねじ部３２ｂに挟まれている。ねじ無し部３２ｃにはねじ山ＳＴが形成されていない。ねじ無し部３２ｃの直径は、第１のねじ部３２ａおよび第２のねじ部３２ｂのそれぞれのねじ山ＳＴの直径よりも小さい。先端部３２ｄは、軸部３２の先端に位置している。つまり、先端部３２ｄは、第２のねじ部３２ｂに対して第１のねじ部３２ａと反対側に位置している。先端部３２ｄにはねじ山ＳＴが形成されていない。
【００４９】
図１０を参照して、固定部２１のねじ穴ＳＨに第１のねじ部３２ａのねじ山ＳＴがねじ止めされた状態では、第２のねじ部３２ｂおよびねじ無し部３２ｃは、ねじ穴ＳＨに当接しない。
【００５０】
図１１を参照して、ねじが緩んだ状態では、固定部２１の内部に流入した風および固定部２１と蓋部２２との隙間に流入した風が固定部２１側から蓋部２２に吹き付けることにより、蓋部２２が固定部２１から離れて一方端面３１ａに当接する。第１のねじ部３２ａがねじ３０の緩む方向に回転してねじ穴ＳＨから外れると、ねじ無し部３２ｃがねじ穴ＳＨに位置する。これにより、ねじ山ＳＴとねじ穴ＳＨとの螺合が解除される。そして、ねじ無し部３２ｃの直径は、第１のねじ部３２ａおよび第２のねじ部３２ｂのそれぞれのねじ山ＳＴの直径よりも小さいため、ねじ無し部３２ｃはねじ穴ＳＨに落ち込むように下方に移動する。このため、蓋部２２に風が吹き付けることにより、ねじ３０がねじ３０の緩む方向に回転して、ねじ穴ＳＨに第２のねじ部３２ｂが螺合することが抑制される。
【００５１】
図１２および図１３を参照して、本実施の形態における変形例２のねじ３０は、平面部ＦＳを備えている点で変形例１のねじ３０と異なっている。平面部ＦＳは、軸部３２の軸方向と直交するように形成されている。平面部ＦＳは、傾斜面ＳＬの一部に形成されている。平面部ＦＳは、傾斜面ＳＬの一方側Ｓ１に配置されている。一方端面３１ａは、平面部ＦＳを含んでいる。
【００５２】
図１４および図１５を参照して、本実施の形態における変形例３のねじ３０は、突出部ＰＰの構成が図４および図５に示す本実施の形態のねじ３０と主に異なっている。突出部ＰＰは、突出部ＰＰは、円柱形状を有している。突出部ＰＰの直径は軸部３２の直径よりも小さい。突出部ＰＰは、一方端面３１ａの一部に形成されている。一方端面３１ａは、突出部ＰＰの先端面ＴＳを含んでいる。
【００５３】
次に、本実施の形態の作用効果について、比較例のねじと対比して説明する。なお、比較例のねじについては、特に言及にしない限り、上記の本実施の形態と同一の構成については同一の符号を付し、その説明を繰り返さない。
【００５４】
図１６を参照して、比較例のねじ３０では、一方端面３１ａの高さは均等である。つまり、軸部３２の軸方向と一方端面３１ａとは直交している。したがって、この比較例では、被締結部材２０のねじ穴ＳＨに軸部３２のねじ山ＳＴがねじ止めされた状態で、一方端面３１ａが被締結部材２０に当接しても、軸部３２のねじ山ＳＴはねじ穴ＳＨに片当りしない。したがって、ねじ３０が緩んでいる場合に、固定部２１の内部に流入した風および固定部２１と蓋部２２との隙間に流入した風が固定部２１側から蓋部２２に吹き付けることにより、蓋部２２が固定部２１から離れて一方端面３１ａに当接する。また、蓋部２２の前面２２ａに固定部２１に向かって風が吹き付けることにより、蓋部２２が固定部２１に当接する。風によって、この蓋部２２の移動が繰り返される。このように、風によって固定部２１に対して蓋部２２が振動して、ねじ３０がさらに緩む方向に回転してねじ３０がねじ穴ＳＨから外れることがある。
【００５５】
これに対して、図４および図７に示すように、本実施の形態のねじ３０によれば、頭部３１の一方端面３１ａは、軸部３２を挟んで一方側Ｓ１が高くなり、かつ他方側Ｓ２が低くなるように構成されている。そして、頭部３１の一方端面３１ａの一部が被締結部材２０に当接することにより軸部３２のねじ山ＳＴをねじ穴ＳＨに片当りさせることができる。このため、ねじ３０を緩みにくくすることができる。したがって、ねじ３０を外れにくくすることができる。
【００５６】
図４および図７に示すように、本実施の形態のねじ３０においては、頭部３１は、本体部ＭＰと、突出部ＰＰとを含んでいる。突出部ＰＰは本体部ＭＰから軸部３２が突出する方向に突出する。突出部ＰＰは、一方端面３１ａの一部を含んでいる。このため、突出部ＰＰが被締結部材２０に当接することにより軸部３２のねじ山ＳＴをねじ穴ＳＨに片当りさせることができる。これにより、ねじ３０を緩みにくくすることができる。
【００５７】
図４および図７に示すように、本実施の形態のねじ３０においては、一方端面３１ａは、一方側Ｓ１から他方側Ｓ２に傾斜する傾斜面ＳＬを含んでいる。このため、傾斜面ＳＬが被締結部材２０に当接することにより軸部３２を傾斜させることができる。これにより、軸部３２のねじ山ＳＴをねじ穴ＳＨに片当りさせることができる。これにより、ねじ３０を緩みにくくすることができる。
【００５８】
図８および図１０に示すように、本実施の形態の変形例１のねじ３０においては、軸部は、第１のねじ部３２ａと、第２のねじ部３２ｂと、ねじ無し部３２ｃとを含んでいる。ねじ無し部３２ｃは、第１のねじ部３２ａおよび第２のねじ部３２ｂに挟まれかつねじ山ＳＴが形成されていない。ねじ無し部３２ｃの直径は、第１のねじ部３２ａおよび第２のねじ部３２ｂのそれぞれのねじ山ＳＴの直径よりも小さい。このため、ねじ３０が緩んでねじ無し部３２ｃがねじ穴ＳＨに位置することにより、ねじ山ＳＴとねじ穴ＳＨの螺合が解除される。これにより、ねじ３０がさらに緩むことを防止できる。
【００５９】
図３および図６に示すように、本実施の形態の配管カバーＰＣは、上記のねじ３０と、被締結部材２０とを備えている。被締結部材２０は、固定部２１と、固定部２１を覆う蓋部２２とを含む。固定部２１は、ねじ穴ＳＨを有している。蓋部２２は、ねじ穴ＳＨに連通する貫通孔２２ｂを有している。ねじ３０は、貫通孔２２ｂを通ってねじ穴ＳＨにねじ止めされている。このため、風によって固定部２１に対して蓋部２２が振動しても、ねじ３０を緩みにくくすることができる。これにより、風による振動によりねじ３０が外れて固定部２１から蓋部２２が取り外されることを抑制できる。
【００６０】
図３および図６に示すように、本実施の形態の配管カバーＰＣにおいては、被締結部材２０は金属からなり、頭部３１は樹脂からなる。このため、頭部３１は被締結部材２０よりも軟らかいので、頭部３１が被締結部材２０に当接することにより被締結部材２０に傷がつくことを抑制できる。
【００６１】
図１および図３に示すように、本実施の形態の給湯器セットは、上記の配管カバーＰＣと、給水管Ｐ１、給湯管Ｐ２およびガス管Ｐ３に接続される給湯器１０とを備えた給湯器セットである。配管カバーＰＣは、給水管Ｐ１、給湯管Ｐ２およびガス管Ｐ３を覆っている。このため、風による振動で固定部２１から蓋部２２が取り外されることを抑制できる配管カバーＰＣを備えた給湯器セットを提供することができる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６３】
１  筐体、２  バーナ、３  送風装置、４  一次熱交換器、５  二次熱交換器、６  中和器、７  コントローラ、８  給湯経路、８ａ  給水配管、８ｂ  給湯配管、１０  給湯器、２０  被締結部材、２１  固定部、２１ａ  側面部、２１ｂ  第１の支持部、２１ｃ  取付部、２１ｄ  第２の支持部、２１ｅ  第３の支持部、２２  蓋部、２２ａ  前面部、２２ｂ  貫通孔、２３  ワッシャ、３０  ねじ、３１  頭部、３１ａ  一方端面、３１ｂ  他方端面、３１ｃ  溝部、３１ｄ  受入部、３２  軸部、３２ａ  第１のねじ部、３２ｂ  第２のねじ部、３２ｃ  ねじ無し部、３２ｄ  先端部、１００  壁面、１０１  地面、ＤＯ  ドレン排出口、ＤＰ１  第１のドレン配管、ＤＰ２  第２のドレン配管、ＥＰ  排気口、ＦＣ  ガス経路、ＦＩ  ガス供給口、ＦＰ  ガス配管、ＦＳ  平面部、ＩＰ  吸気口、ＩＷ  入水口、ＭＰ  本体部、ＯＷ  出湯口、Ｐ１  給水管、Ｐ２  給湯管、Ｐ３  ガス管、ＰＣ  配管カバー、ＰＰ  突出部、ＰＲ  張出部、Ｓ１  一方側、Ｓ２  他方側、ＳＨ  ねじ穴、ＳＬ  傾斜面、ＳＴ  ねじ山、ＴＳ  先端面。
【図１】
2016217596.tif 000003
【図２】
2016217596.tif 000004
【図３】
2016217596.tif 000005
【図４】
2016217596.tif 000006
【図５】
2016217596.tif 000007
【図６】
2016217596.tif 000008
【図７】
2016217596.tif 000009
【図８】
2016217596.tif 000010
【図９】
2016217596.tif 000011
【図１０】
2016217596.tif 000012
【図１１】
2016217596.tif 000013
【図１２】
2016217596.tif 000014
【図１３】
2016217596.tif 000015
【図１４】
2016217596.tif 000016
【図１５】
2016217596.tif 000017
【図１６】
2016217596.tif 000018